(57)【要約】      （修正有）【課題】回転するドングリ型の浮きで波のうねりやさらしの中でも魚の掛かりを的確に判断でき、いかなる条件でも浮き本来の性能を発揮できるほか、一瞬のエサとりや、魚に対し違和感を与えずに微妙な当たりを見分けられることのできる感度のよい釣り用の浮きを提供する。【解決手段】ドングリ型の浮きで視認性を高めるため上部約２／３に略球体に広がる経大部２を形成する一方、下部１／３部分を径小部３と形成し魚が掛かって引き込む際の抵抗を最小限となるようにし、上部径大部の外周面に形成した４つのスクリュー羽根２２の前面と背面の色分けをしてあることで、魚が掛かり引き込む際の水の流れをスクリュー羽根が受け浮き本体が回転し、前面と背面の色の変化で認識できるようにする。【選択図】図１
0003151121.tif 000002
【実用新案登録請求の範囲】
【請求項１】
ドングリ型浮きを、上端から約２／３部位に略球体に広がる経大部と、下端１／３部位の径小部とから構成すると共に、
上記径大部は、その外周面に４つのスクリュー状の溝を等間隔に形成して、４つのスクリュー羽根を等間隔に形成する一方、
径小部は、略逆円錐状とし下端を先細り形状としてなることを特徴とするドングリ型浮き。
【請求項２】
上記径大部の外周面に形成した４つのスクリュー羽根の前後面を色分けしたことを特徴とする請求項１記載のドングリ型浮き。
【考案の詳細な説明】
【技術分野】
【０００１】
本考案は、釣り時に使用されるドングリ型浮きに関し、特に回転するようにしたドングリ型浮きに関するものである。
【背景技術】
【０００２】
従来、回転するようにしたドングリ型浮きとしては、例えば特許文献１又は特許文献２がある。これらはドングリ型浮きの外周面に上下にわたって螺旋状の溝を形成して螺旋羽根を構成したドングリ型浮きや、ドングリ型浮きの外周面の上下それぞれにスクリュー状の溝を形成して上下にスクリュー羽根を構成したドングリ型浮きである。
【先行技術文献】
【特許文献】
【０００３】
【特許文献１】特開２００１−８８号公報
【特許文献２】特開２００５−７３５０７号公報
【考案の概要】
【考案が解決しようとする課題】
【０００４】
上記の特許文献１又は特許文献２の回転するドングリ型浮きは、
（１）両者共に断面楕円形状とし、ドングリ型浮き全体が海面下に潜っているため、波があると魚の掛かりに関係なく浮きがうねりにもまれ浮き沈みしてしまい回転してしまうので魚の掛かりが視認し難いものであった。これがため、浮き上部を赤などの蛍光色で色着けたりしているが、十分なものではなかった。
（２）なお、視認性を高めるためにドングリ型浮きの断面形状を大きくして、表面積を高めることが考えられるが、この場合魚が掛かって引き込む際の抵抗が多くなり、魚の掛かりにも大きく影響し安易に断面形状を大きくすることができなかった。
【課題を解決するための手段】
【０００５】
本考案は、上記点に鑑みなされたもので、回転するドングリ型浮きにおいて、
ドングリ型浮きを、上部約２／３部位に略球体に広がる径大部と、下部１／３部位の径小部とから構成すると共に、
上記径大部は、その外周面に４つのスクリュー状の溝を等間隔に形成して、４つのスクリュー羽根を等間隔に形成する一方、
上記径小部は、略逆円錐状とし下端を先細り形状としてなることを最も特徴としている。
【０００６】
第２に、上記径大部の外周面に形成した４つのスクリュー羽根の前後面を色分けしてなることを特徴とする。
【考案の効果】
【０００７】
ドングリ型浮きの上部約２／３部分に略球体に広がる経大部を設けているので、
（１）表面積が広がり視認性が高まり、波のうねりで浮きが浮き沈みして水面下にある時でも上部の赤などの蛍光色が確認しやすく魚の掛かりを容易に判断することができる。
【０００８】
ドングリ型浮きの下部約１／３部分を径小部とし、径小部の外周面には何も形成せず、略逆円錐状とし下端を先細り形状としてなるので、
（２）水中に潜る際の水圧の抵抗を初期の段階では最小限にすることができ潜行が容易であり、潜行が進むにつれ上記径大部の外周面に形成した４つのスクリュー羽根に水流を受けその推進羽根で回転するようになり、魚の掛かりに対し違和感を与えず魚の食いつきがよいのと共に浮き自体の感度も良くすることができる。
【０００９】
上記径大部の外周面に形成した４つのスクリュー羽根の前後面を色分けしてなるので、
（３）回転する度に浮きの前後面の色が変化して、魚の引きを明確に判断できるようになる。
（４）よそ見をしていても気が付いたときに魚が掛かっていれば、浮きの回転による色の向きに変化が現われるので魚の掛かりが認識でるようになる。
（５）エサとり等は一瞬のわずかな引きでしかないため浮きの沈みだけでは判断し難いが、わずかな引きでも回転し前後面の色が変化するので視認することができる。
【図面の簡単な説明】
【００１０】
【図１】本考案の一実施例を示すドングリ型浮きの正面図である。
【図２】本考案の一実施例を示すドングリ型浮きの右側面図である。
【図３】本考案の一実施例を示すドングリ型浮きの背面図である。
【図４】本考案の一実施例を示すドングリ型浮きの上面図である。
【図５】本考案の一実施例を示すドングリ型浮きの底面図である。
【図６】本考案の一実施例を示すドングリ型浮きの縦断面図である。
【図７】本考案の一実施例を示すドングリ型浮きの斜視図である。
【図８】図１に示すドングリ型浮きの使用状態を示す概略図である。
【図９】波のうねりにより浮きの潜る状態を示し、（１）は水面直下にある状態を示す図、（２）は水面下に潜った状態を示す図である。
【図１０】図１に示すドングリ型浮きの使用状態を示す概略図である。
【図１１】図８に示すドングリ型浮きが水中に引きこまれる時の状態を示す説明図である。
【考案を実施するための形態】
【００１１】
以下本考案の一実施例の回転するドングリ型浮きについて図１〜図９を用いて詳細に説明する。
【００１２】
図１〜図７に示すように、ドングリ型浮き本体１は、その上部約２／３部位Ｌ１に平面から見て略球体形状に広がる径大部２と、下部約１／３部位Ｌ２の径小部３とから構成している。
【００１３】
上記径大部２には、図１〜図３及び図４に示すように径大部２外周面に互いに隣り合う溝の上部始端２１aと下部終端２１ｂ位置が略同一上下位置とするスクリュー状の計４つのスクリュー状溝２１を形成することにより、同径大部２外周面に等間隔にスクリュー状の４つのスクリュー羽根２２を形成している。また、径大部２の前面側２３と後面側２４を、図２〜図５に示すように例えば赤と黄色など一見して判別できる蛍光色の色に色分けしている。
【００１４】
一方径小部３には、その外周面には何も形成せず、略逆円錐状とし下端を先細り形状に形成している。また、図６に示すように径小部３内に錘４を収納し、ドングリ型浮き本体１の下部が重くなるようにしていると共に、ドングリ型浮き本体１の上端から下端に亘って中央内部に糸通し穴５を形成している。
【００１５】
次にその使用状態について、図８〜図１１を用いて以下説明する。
図８に示す様にドングリ型浮き本体１の糸通し穴５に浮き止めゴム６を通した道糸７を通して使用する。
【００１６】
同図８に示すようにドングリ型浮き本体１は、浮力の抵抗を最小限にするため浮き上端が水面８と同位置になるように浮き全体を水面直下で使用する。
【００１７】
従来のドングリ型浮きでは、浮き全体が海面下にあるため、視認し難いものであったが、図１０に示すよう上部の略球体に広がる径大部２を設け表面積を高めているので釣り人９からの浮きの径大部２が大きく見えるためにドングリ型浮き本体１を容易に視認することができる。
【００１８】
そして、波がある場合には、図９（１）に示すように浮き本体１水面直下にある状態から図９（２）に示す様に波のうねり等で水面８下に潜ってしまうが、この際、波のうねりで浮き本体１が上下動しても同浮き本体１は回転しないので魚の引きと勘違いすることはない。
【００１９】
次に魚が引いた場合には、図１１に示す様に魚の引きにより浮き本体１が引き込まれても、下部径小部３の外周面には何も形成せず、略逆円錐状とし下端を先細り形状に形成していることにより、水の流れを流線状の流れ１０になるために水中に潜る際の抵抗を減少させることができ、魚に違和感を与えず、浮きの感度を高めることができる。
【００２０】
また、上部径大部２外周面の計４つのスクリュー状溝２１に水が流れるのでスクリュー羽根２２にあたり回転力を与る。
これにより、浮き本体１は回転し、回転と同時に前面側の色２３と後面側の色２４が変化するので、魚の引きを釣り人がこれを視認し魚が引いたことを確認できる。
よって、波のうねりで浮きが潜った時と魚の引きで浮きが沈んだことを判別できるようにしたものである。
【符号の説明】
【００２１】
１  本体
２  径大部
３  径小部
２１  スクリュー溝
２２  スクリュー羽根
２３  前面の色
２４  背面の色
４  糸通し穴
５  錘
６  浮き止めゴム
７  道糸
８  水面
９  釣り人
１０  水の流れ
【図１】
0003151121.tif 000003
【図２】
0003151121.tif 000004
【図３】
0003151121.tif 000005
【図４】
0003151121.tif 000006
【図５】
0003151121.tif 000007
【図６】
0003151121.tif 000008
【図７】
0003151121.tif 000009
【図８】
0003151121.tif 000010
【図９】
0003151121.tif 000011
【図１０】
0003151121.tif 000012
【図１１】
0003151121.tif 000013